【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
（ａ１）光潜在性アミジン塩基、または
（ａ２）光潜在性アミン塩基、または
（ａ３）（ａ１）と（ａ２）の混合物、および
（ｂ）ラジカル重合性化合物、および
（ｃ）過酸化物
を含む組成物。
【請求項２】
成分（ａ１）または（ａ２）または（ａ３）、（ｂ）および（ｃ）に加えて、
（ｄ）（ｂ）を硬化することが可能な開始剤、特にラジカル光開始剤
を含む、請求項１に記載の組成物。
【請求項３】
塩基（ａ１）または（ａ２）が、式Ｉ
Ｚ−Ａ（Ｉ）
［式中、
Ｚは感光性基であり；
Ａは、Ｚに共有結合した塩基前駆体基である］の光潜在性塩基化合物である、請求項１または２に記載の組成物。
【請求項４】
光潜在性アミジン塩基（ａ１）が、式（ＩＩ）
【化１】
2011514393.tif 000001
［式中、
Ｒ1は、２００〜６５０ｎｍの波長範囲で光を吸収することが可能であり、非置換であるか、または１つ以上のＣ1−Ｃ18−アルキル、Ｃ2−Ｃ18−アルケニル、Ｃ2−Ｃ18−アルキニル、Ｃ1−Ｃ18−ハロアルキル、ＮＲ8Ｒ9、ＣＮ、ＯＲ10、ＳＲ10、ＣＯＲ11、ＣＯＯＲ12、ハロゲンまたは
【化２】
2011514393.tif 000002
によって置換された芳香族または複素芳香族基であり；あるいは
Ｒ1は、
【化３】
2011514393.tif 000003
であり；
Ｒ2およびＲ3は、互いに独立して、水素、Ｃ1−Ｃ18−アルキル、Ｃ1−Ｃ18−アルケニル、Ｃ3−Ｃ18−アルキニル、あるいは非置換であるか、または１つ以上のＣ1−Ｃ18−アルキル、ＣＮ、ＯＲ12、ＳＲ12、ハロゲンまたはＣ1−Ｃ18−ハロアルキルによって置換されたフェニルであり；
Ｒ5は、Ｃ1−Ｃ18−アルキルまたはＮＲ10Ｒ11であり；
Ｒ4、Ｒ6、Ｒ7、Ｒ8およびＲ9は、互いに独立して、水素またはＣ1−Ｃ18−アルキルであり；あるいは
Ｒ4およびＲ6は、ともに、非置換であるか、または１つ以上のＣ1−Ｃ4−アルキルによって置換されたＣ2−Ｃ12−アルキレンブリッジを形成し；あるいは
Ｒ5およびＲ7は、Ｒ4およびＲ6から独立して、ともに、非置換であるか、または１つ以上のＣ1−Ｃ4−アルキルによって置換されたＣ2−Ｃ12−アルキレンブリッジを形成し；あるいはＲ5がＮＲ10Ｒ11である場合は、Ｒ7およびＲ11は、ともに、非置換であるか、または１つ以上のＣ1−Ｃ4−アルキルによって置換されたＣ2−Ｃ12−アルキレンブリッジを形成し；
Ｒ10、Ｒ11およびＲ12は、互いに独立して、水素またはＣ1−Ｃ18−アルキルであり；
Ｒ13は、２００〜６５０ｎｍの波長範囲で光を吸収することが可能であり、非置換であるか、または１つ以上のＣ1−Ｃ18−アルキル、Ｃ2−Ｃ18−アルケニル、Ｃ2−Ｃ18−アルキニル、Ｃ1−Ｃ18−ハロアルキル、ＮＲ8Ｒ9、ＣＮ、ＯＲ10、ＳＲ10、ＣＯＲ11、ＣＯＯＲ12またはハロゲンによって置換された芳香族または複素芳香族基であり；
Ｒ14は、水素またはＣ1−Ｃ18−アルキルであり；
Ｒ15は、水素、Ｃ1−Ｃ18−アルキル、あるいは非置換であるか、または１つ以上のＣ1−Ｃ18−アルキル、ビニル、Ｃ3−Ｃ18−アルケニル、Ｃ3−Ｃ18−アルキニル、Ｃ1−Ｃ18−ハロアルキル、フェニル、ＮＲ8Ｒ9、ＣＮ、ＯＲ10、ＳＲ10、ＣＯＲ11、ＣＯＯＲ12またはハロゲンによって置換されたフェニルである］の化合物である、請求項１から３までのいずれか１項に記載の組成物。
【請求項５】
光潜在性アミン塩基（ａ２）が、式（ＩＩＩ）
【化４】
2011514393.tif 000004
［式中、
Ａｒ1は、式Ｖ、ＶＩ、ＶＩＩまたはＶＩＩＩ
【化５】
2011514393.tif 000005
の芳香族基であり；
Ｕは、Ｏ、ＳまたはＮ（Ｒ32）であり；
Ｖは、Ｕについて示されている意味の１つを有し、あるいはＣＯ、ＣＨ2、ＣＨ2ＣＨ2、Ｃ2−Ｃ6−アルキリデンまたは直接結合であり；
Ｗは、Ｃ1−Ｃ7−アルキレンまたはＣ2−Ｃ6−アルキリデンであり；
Ｒ16およびＲ17は、互いに独立して、シクロペンチル、シクロヘキシル、非置換Ｃ1−Ｃ12−アルキル；ＯＨ、Ｃ1−Ｃ4−アルコキシ、ＳＨ、ＣＮ、（ＣＯ）Ｏ（Ｃ1−Ｃ8−アルキル）、Ｏ（ＣＯ）Ｃ1−Ｃ4−アルキル、フェノキシ、ハロゲンおよび／またはフェニルによって置換されたＣ1−Ｃ12−アルキルであり；あるいは
Ｒ16およびＲ17は、非置換であるか、またはハロゲン、Ｃ1−Ｃ12−アルキルおよび／またはＣ1−Ｃ12−アルコキシによって置換されたフェニルであり；あるいは
Ｒ16およびＲ17は、
【化６】
2011514393.tif 000006
であり；あるいは
Ｒ16およびＲ17は、ともに、Ｃ2−Ｃ9−アルキレンまたはＣ3−Ｃ9−オキサアルキレンであり、あるいはともに式
【化７】
2011514393.tif 000007
の基を形成し；
ｐは、０または１であり；
ｑは、０、１、２または３であり；
ｙは、１または２であり；
Ａｒ2は、それぞれが非置換であるか、またはハロゲン、ＯＨ、Ｃ1−Ｃ12−アルキル、Ｃ1−Ｃ12−アルコキシ、（ＯＣＨ2ＣＨ2）xＯＨ、（ＯＣＨ2ＣＨ2）xＯＣＨ3、Ｃ1−Ｃ8−アルキルチオ、フェノキシ、（ＣＯ）Ｏ（Ｃ1−Ｃ18−アルキル）、ＣＯ（ＯＣＨ2ＣＨ2）xＯＣＨ3、フェニルもしくはベンゾイルによって置換されたフェニル、ナフチル、チエニルまたはフリルであり；あるいは
フェニル基、ナフチル基、チエニル基またはフリル基は、ＯＨ、ハロゲン、Ｃ1−Ｃ12−アルコキシ、（ＣＯ）Ｏ（Ｃ1−Ｃ18−アルキル）、ＣＯ（ＯＣＨ2ＣＨ2）xＯＣＨ3および／またはＯＣＯ（Ｃ1−Ｃ4−アルキル）によって置換されたＣ1−Ｃ4−アルキルによって置換されており；あるいは
フェニル基、ナフチル基、チエニル基またはフリル基は、（ＣＯ）Ｏ（Ｃ1−Ｃ18−アルキル）またはＣＯ（ＯＣＨ2ＣＨ2）xＯＣＨ3によって置換されたＣ1−Ｃ4−アルコキシによって置換されており；
ｘは、１〜２０であり；
Ｒ18は、Ｃ1−Ｃ12−アルキル、Ｃ3−Ｃ5−アルケニル、Ｃ5−Ｃ12−シクロアルキル、フェニル−Ｃ1−Ｃ3−アルキル、あるいはＯＨ、Ｃ1−Ｃ4−アルコキシ、ＣＮおよび／または（ＣＯ）Ｏ（Ｃ1−Ｃ4−アルキル）によって置換されたＣ2−Ｃ4−アルキルであり；
Ｒ19は、Ｃ1−Ｃ12−アルキル、Ｃ3−Ｃ5−アルケニル、Ｃ5−Ｃ12−シクロアルキル、フェニル−Ｃ1−Ｃ3−アルキル、ＯＨ、Ｃ1−Ｃ4−アルコキシ、ＣＮおよび／または（ＣＯ）Ｏ（Ｃ1−Ｃ4−アルキル）によって置換されたＣ2−Ｃ4−アルキルであり；あるいは
Ｒ19は、非置換であるか、またはＣ1−Ｃ12−アルキル、Ｃ1−Ｃ4−アルコキシまたは（ＣＯ）Ｏ（Ｃ1−Ｃ4−アルキル）によって置換されたフェニルであり；あるいは
Ｒ19は、Ｒ17とともに、Ｃ1−Ｃ7−アルキレン、フェニル−Ｃ1−Ｃ4−アルキレン、ｏ−キシリレン、２−ブテニレンまたはＣ2−Ｃ3−オキサアルキレンであり；あるいは
Ｒ18およびＲ19は、それらが結合した窒素原子とともに、Ｏ、Ｓ、ＣＯもしくはＮＲ37によって場合によって中断された５、６もしくは７員環を形成し、あるいは
Ｒ18およびＲ19は、ともに、ＯＨ、Ｃ1−Ｃ4−アルコキシおよび／または（ＣＯ）Ｏ（Ｃ1−Ｃ4−アルキル）によって場合によって置換されたＣ3−Ｃ7−アルキレンであり；
Ｒ26、Ｒ27、Ｒ28、Ｒ29およびＲ30は、それぞれ互いに独立して水素、ハロゲン、Ｃ1−Ｃ12−アルキル、シクロペンチル、シクロヘキシル、フェニル、ベンジル、ベンゾイル、ＯＲ32、ＳＲ37、ＳＯＲ37、ＳＯ2ＯＲ37、Ｎ（Ｒ38）（Ｒ39）、ＮＨ−ＳＯ2Ｒ42または
【化８】
2011514393.tif 000008
であり；
Ｙは、Ｏ、Ｓ、Ｎ（Ｒ40）、Ｎ（Ｒ40）−Ｒ41−Ｎ（Ｒ40）または
【化９】
2011514393.tif 000009
であり；
Ｒ31は、水素、Ｃ1−Ｃ12−アルキル、ハロゲンまたはＣ2−Ｃ8−アルカノイルであり；
Ｒ32は、水素、Ｃ1−Ｃ12−アルキル、（ＣＯ）Ｏ（Ｃ1−Ｃ4−アルキル）、（ＣＨ2ＣＨ2Ｏ）xＨ、Ｃ2−Ｃ8−アルカノイル、Ｃ3−Ｃ12−アルケニル、シクロヘキシル、ヒドロキシシクロヘキシル、フェニル−Ｃ1−Ｃ3−アルキル、Ｓｉ（Ｃ1−Ｃ8−アルキル）r（フェニル）3-r、あるいはＳＨ、ＣＮ、ＯＨ、Ｃ1−Ｃ4−アルコキシ、Ｃ3−Ｃ6−アルケノキシ、ＯＣＨ2ＣＨ2ＣＮ、ＯＣＨ2ＣＨ2ＣＯＯ（Ｃ1−Ｃ4−アルキル）、ＣＯＯ（Ｃ1−Ｃ4−アルキル）、ＣＯＯＨ、および／または非置換であるか、またはＳＨによって置換されたＯ（ＣＯ）−Ｃ1−Ｃ4−アルキルによって置換されたＣ2−Ｃ6−アルキルであり；あるいは
Ｒ32は、非置換であるか、またはハロゲン、Ｃ1−Ｃ12−アルキルおよび／またはＣ1−Ｃ4−アルコキシによって置換されたフェニルであり；
ｒは、１、２または３であり；
Ｒ33は、水素、Ｃ1−Ｃ6−アルキルまたはフェニルであり；
Ｒ34、Ｒ35およびＲ36は、それぞれ互いに独立して、水素またはＣ1−Ｃ4−アルキルであり、あるいはＲ34およびＲ35は、ともにＣ3−Ｃ7−アルキレンであり；
Ｒ37は、水素、Ｃ1−Ｃ12−アルキル、Ｃ3−Ｃ12−アルケニル、シクロヘキシル、フェニル−Ｃ1−Ｃ3−アルキル、ＯＣＨ2ＣＨ2ＣＯＯ（Ｃ1−Ｃ4−アルキル）、あるいはＳＨ、ＯＨ、ＣＮ、ＣＯＯＨ、ＣＯＯ（Ｃ1−Ｃ4−アルキル）、Ｃ1−Ｃ4−アルコキシ、ＯＣＨ2ＣＨ2ＣＮ、および／または非置換であるか、またはＳＨによって置換されたＯ（ＣＯ）−Ｃ1−Ｃ4−アルキルによって置換されたＣ2−Ｃ12−アルキルであり；あるいはＲ37は、ＳまたはＯによって中断されたＣ1−Ｃ12−アルキルであり；あるいはＲ37は、非置換であるか、ハロゲン、ＳＨ、Ｃ1−Ｃ12−アルキルおよび／またはＣ1−Ｃ4−アルコキシによって置換されたフェニルであり；
Ｒ38およびＲ39は、それぞれ他のＣ1−Ｃ12−アルキルから独立して、Ｃ2−Ｃ4−ヒドロキシアルキル、Ｃ2−Ｃ10−アルコキシアルキル、Ｃ3−Ｃ5−アルケニル、Ｃ5−Ｃ12−シクロアルキル、フェニル−Ｃ1−Ｃ3−アルキル、Ｃ2−Ｃ3−アルカノイル、ベンゾイル、Ｏ（ＣＯ−Ｃ1−Ｃ8アルキレン）o−ＯＨ、あるいは非置換であるか、またはハロゲン、Ｃ1−Ｃ12−アルキルおよび／またはＣ1−Ｃ4−アルコキシによって置換されたフェニルであり；あるいは
Ｒ38およびＲ39は、ともに、Ｏ、Ｎ（Ｒ43）またはＳによって場合によって中断されたＣ2−Ｃ8−アルキレンであり、あるいは
Ｒ38およびＲ39は、ともに、ヒドロキシル、Ｃ1−Ｃ4−アルコキシおよび／または（ＣＯ）Ｏ（Ｃ1−Ｃ4−アルキル）によって場合によって置換されたＣ2−Ｃ8−アルキレンであり；
ｏは、１〜１５の整数であり；
Ｒ40は、Ｃ1−Ｃ8−アルキル、Ｃ3−Ｃ5−アルケニル、フェニル−Ｃ1−Ｃ3−アルキル、Ｃ1−Ｃ4−ヒドロキシアルキルまたはフェニルであり、
Ｒ41は、１つ以上のＯもしくはＳによって場合によって中断されたＣ2−Ｃ16−アルキレンであり；
Ｒ42は、Ｃ1−Ｃ18−アルキル、ナフチル、あるいは非置換であるか、またはハロゲン、Ｃ1−Ｃ12−アルキルおよび／またはＣ1−Ｃ8−アルコキシによって置換されたフェニルであり；
Ｒ43は、Ｃ1−Ｃ8−アルキル、フェニル−Ｃ1−Ｃ3−アルキル、ＣＨ2ＣＨ2ＣＯＯ（Ｃ1−Ｃ8−アルキル）、ＣＨ2ＣＨ2ＣＮ、ＣＨ2ＣＨ2−ＣＯＯ（ＣＨ2ＣＨ2Ｏ）o−Ｈまたは
【化１０】
2011514393.tif 000010
である］のものである、請求項１から４までのいずれか１項に記載の組成物。
【請求項６】
成分（ａ１）が、化合物
【化１１】
2011514393.tif 000011
であり、成分（ａ２）が、化合物
【化１２】
2011514393.tif 000012
である、請求項１から５までのいずれか１項に記載の組成物。
【請求項７】
成分（ａ１）、（ｂ）および（ｃ）ならびに任意の（ｄ）または（ａ２）、（ｂ）および（ｃ）ならびに任意の（ｄ）または（ａ３）、（ｂ）および任意の（ｄ）に加えて、さらなる添加剤（ｅ）、特に光増感剤化合物を含む、請求項１から６までのいずれか１項に記載の組成物。
【請求項８】
成分（ａ１）または（ａ２）または（ａ３）が、組成物全体に対して、０．０１〜２０質量％、特に０．０１〜１０質量％の量で存在する、請求項１から７までのいずれか１項に記載の組成物。
【請求項９】
（ｂ）ラジカル重合性化合物および（ｃ）過酸化物を含む組成物のＵＶ硬化のための、請求項３に記載の式Ｉの化合物の使用。
【請求項１０】
前記成分と、請求項３に記載の式Ｉの光潜在性塩基触媒ならびに（ｃ）過酸化物とを混合し、２００〜６５０ｎｍの波長範囲の光を組成物に照射することによってラジカル重合性化合物（ｂ）を架橋するための方法。
【請求項１１】
熱処理を照射の前、最中または後に実施する、請求項１０に記載のラジカル重合性化合物を架橋するための方法。
【請求項１２】
接着剤、塗料、シール材、封止成分、歯科用セメント、印刷インク、成形材料、光構造層を製造するための、請求項１から８までのいずれか１項に記載の組成物の使用。
【請求項１３】
接着剤、塗料、シール材、封止成分、歯科用セメント、印刷インク、成形材料、光構造層を製造するための、請求項１０または１１に記載のラジカル重合性化合物を架橋するための方法。
【請求項１４】
少なくとも１つの表面が請求項１から８までのいずれか１項に記載の組成物で塗装された塗装基板。
【請求項１５】
請求項１から８までのいずれか１項に記載の重合または架橋された組成物。